(57)【要約】【課題】溝部を持つ建築用パネルの窓廻り等への施工には、固定した見切縁等の見切辺との間に、溝部による隙間が発生し、雨水の侵入対策の為の壁部材に関して、劣化と汚れを防止した壁部材と壁構造。【解決手段】建築用パネルの溝部を、金属板を成形した閉塞部材により閉塞する。【選択図】  図１
2006083679.tif 000002
【特許請求の範囲】
【請求項１】
前面基部とその一端に差込片と、その前面基部の他端に他の建築用パネルの差込片を嵌合する嵌合溝とを持つ、建築用パネルにおいて、その前面基部か、建築用パネルと他の建築用パネルとの嵌合部に溝部を持つ建築用パネルの施工に関して、壁面の施工境界部の接続部材である見切縁や出隅等と、溝部との間の隙間に施工され、金属板を成形してなる、その溝部を覆う閉塞片を持つ事を特徴とする閉塞部材。
【請求項２】
閉塞部材の閉塞片の少なくとも一側端を折り曲げた遮水片を形成し、その遮水片を建築用パネルの溝部の側壁に沿わして塞ぐ、請求項１記載の閉塞部材。
【請求項３】
閉塞部材の閉塞片の少なくとも一側端を折り曲げた、建築用パネルの溝部の断面形状とピッチに合わせた遮水片を形成し、その遮水片の端部を建築用パネルの溝部の側壁と底部に合わして塞ぐ、請求項１記載の閉塞部材。
【請求項４】
閉塞部材を建築用パネルに取り付ける、請求項１から請求項３記載の閉塞部材。
【請求項５】
閉塞部材を接続部材に被せて取り付ける、請求項１から請求項３記載の閉塞部材。
【請求項６】
閉塞部材を建築用パネルと接続部材との間に取り付ける、請求項１から請求項３記載の閉塞部材。
【請求項７】
請求項１から請求項６記載の閉塞部材を施工する壁構造。
【発明の詳細な説明】
【技術分野】
【０００１】  この発明は、溝部を持つ建築用パネルの窓脇等への施工に用いられる、その溝部を閉塞して、雨仕舞と美観を向上する、溝閉塞材とそれを使用する壁構造に関する。
【背景技術】
【０００２】  従来、溝部を持つ建築用パネルの窓廻り等への施工には、固定した見切縁等の見切辺との間に、溝部による隙間が発生し、雨水の侵入や美観の低下が問題となり、その対策の為に、発泡ポリエチレン製のパッキン材による壁部材を、その隙間に埋め込み閉塞する壁構造が知られている。
（例えば、非特許文献１参照。）
【非特許文献１】「アイジー断熱サイディング  ガルスパンＮ  ガルスパン  縦張用  施工説明書」、アイジー工業株式会社、２００４年８月、Ｐ８．９．２４〜２７．２９〜３２．３７〜４０．４２〜４５．４９〜５０
【発明の開示】
【発明が解決しようとする課題】
【０００３】  従来の技術には、発泡ポリエチレン製のパッキン材には次のような問題がある。
ａ．発泡ポリエチレン製のパッキン材は有機物であり、太陽光の紫外線等により影響を受けて、耐候性に問題があり、
イ．強度の低下、
ロ．靱性の喪失、
ハ．光沢を失い、亀裂を生じ、低分子化した白い粉が表面を覆うチョーキング現象などにより外観が変化し、美観が失われ、
ｂ．その対策の為に、カーボンブラックを充填したものは黒色となり、
イ．外壁材と色合いが大きく異なり、美観を損ない、
ｃ．発泡ポリエチレン製のパッキン材は電気的に絶縁物であり、
イ．風が吹くことによる建築用パネルと空気との摩擦によって発生する、静電気を蓄積しやすく、
ロ．静電気により埃を吸引し、その埃が雨水により流れて壁面に付着し、汚れの原因となり、美観を損ねる。
【課題を解決するための手段】
【０００４】  この発明は、溝部を持つ建築用パネルの窓廻り等への施工において、固定した見切縁等の見切辺等との間の、その溝部を覆う閉塞片を持つ、金属板を成形してなる、閉塞部材とそれを溝部による隙間に、施工する壁構造とする。
【発明の効果】
【０００５】  この発明による閉塞部材とそれを施工する壁構造には、次のような効果がある。【０００６】Ａ．この発明による、金属板を成形した閉塞部材は、
ａ．太陽光の紫外線等に対する耐候性において、発泡ポリエチレンより金属板は良く、
イ．強度の低下が無くなり、
ロ．靱性の喪失は無くなり、
ハ．光沢低下は少なくなり、亀裂を生じ無く、低分子化した白い粉が表面を覆うチョーキング現象などにより外観が変化が発生しにくくなり、長期的に美観が維持され、
ｂ．その対策の為に、カーボンブラックを充填することはなくなり、
イ．外壁材と色合いが合い、美観が向上し、
ｃ．金属板は電気的に導電物であり、
イ．風が吹くことによる建築用パネルと空気との摩擦によって発生する、静電気を蓄積せず、
ロ．静電気の蓄積による埃の吸引は発生せず、その埃が雨水により流れて壁面に付着する汚れは発生せず、美観が向上する。【０００７】Ｂ．閉塞部材の閉塞片の少なくとも一側端を折り曲げた遮水片を形成し、その遮水片を建築用パネルの溝部の側壁に沿わして塞ぐ、閉塞部材とする事により、
ａ．閉塞片の少なくとも一側端を折り曲げた遮水片とする事により、
イ．閉塞部材の曲げ強度が向上し、ハンドリングが向上し、施工性が向上し、
ｂ．その遮水片を建築用パネルの溝部の側壁に沿わして塞ぐ、閉塞部材とする事により、
イ．閉塞材の幅方向の位置決めと、方向あわせが容易になり、
ロ．施工精度が向上し、美観が向上し、
ハ．施工性が向上する。【０００８】Ｃ．閉塞部材の閉塞片の少なくとも一側端を折り曲げた、建築用パネルの溝部の断面形状とピッチに合わせた遮水片を形成し、その遮水片の端部を建築用パネルの溝部の側壁と底部に合わして塞ぐ、閉塞部材とする事により、
ａ．建築用パネルの溝部の断面形状とピッチに合わせた遮水片を、建築用パネルの溝部の側壁と底部に合わして塞ぐ、閉塞部材とする事により、
イ．長い溝部を溝部の断面形状に合わせた遮水片により、塞ぐことが可能になり、金属板の使用量が減少し、コストが下がり、
ロ．遮水片の端部を、建築用パネルの溝部の側壁により支持可能になる。【０００９】Ｄ．閉塞部材を建築用パネルに取り付ける、閉塞部材とする事により、
ａ．建築用パネルに閉塞部材を壁面の施工位置以外の場所で取り付け可能となり、
イ．建築用パネルへの閉塞部材の取り付けを念入りに施工可能となり、
ロ．壁面の美観が向上する。【００１０】Ｅ．閉塞部材を接続部材に被せて取り付ける、閉塞部材とする事により、
ａ．接続部材と建築用パネルとの隙間も閉塞可能となり、
イ．壁面の密閉性能が向上する。【００１１】Ｆ．閉塞部材を建築用パネルと接続部材との間に取り付ける、閉塞部材とする事により、
ａ．閉塞部材が隠蔽されて、目立たなくなり、
イ．違相感が無くなり、美観が向上する。【００１２】Ｇ．金属板を成形した閉塞部材を施工する壁構造とすることにより、
ａ．太陽光の紫外線等により影響を受ける、耐候性か向上し、長期的に雨水の侵入を防止し、美観が維持され、
ｂ．金属板による建築用パネルに使用の場合は、統一感のある壁面を形成し、
イ．外壁材と色合いが合い、美観が向上し、
ｃ．金属板は電気的に導電物であり、
イ．静電気の蓄積による埃の雨水により流れ出しによる、壁面全面への汚れの拡大が防止できて、美観が向上する。
【発明を実施するための最良の形態】
【００１３】Ａ．この発明による金属板は、
ａ．次に代表される塗装金属板や、
イ．塗装亜鉛メッキ鋼板
ロ．塗装アルミニウム亜鉛合金メッキ鋼板
ハ．塗装ステンレス鋼板
ニ．塗装銅板
ホ．塗装アルミニウム合金板
ヘ．合成樹脂シート張り合わせ金属板
ト．塗装チタン・ニッケル合金板
チ．その他の塗装合金鋼等
ｂ．次に代表される無塗装金属板、
イ．亜鉛メッキ鋼板
ロ．アルミニウム亜鉛合金メッキ鋼板
ハ．ステンレス鋼板
ニ．銅板
ホ．アルミニウム合金板等
ヘ．チタン・ニッケル合金板
ト．その他の合金鋼等
ｃ．それらの金属板に深いエンボス加工を加えた金属板
ｄ．エンボス加工の上に塗装した金属板等を使用する。【００１４】Ｂ．この発明に使用される建築用パネルや部材の固定は、
ａ．釘打ちには、次に代表される、固定具を使用する。
イ．タッピングビス
ロ．釘
ハ．ホッチキス
ニ．木ネジ
ホ．ポップリベット
ヘ．両面粘着テープ等【００１５】Ｃ．この発明に使用される建築用パネルの裏打材は、
ａ．次に代表される発泡合成樹脂に、
イ．硬質発泡ウレタン樹脂
ロ．硬質発泡ヌレート樹脂
ハ．発泡フェノール樹脂
ニ．発泡スチレン樹脂等
ｂ．次に代表される裏面紙を積層している。
イ．はり合わせアルミニウム箔
ロ．スチールペーパー
ハ．ポリエチコートクラフト紙
ニ．アルミ蒸着紙
ホ．合成樹脂シート等【００１６】  発明の実施例について、次の、実施例１、実施例２、実施例３、実施例４、及び実施例５により、図面を参照して説明する。
【実施例１】
【００１７】  図１，図２，図３，図４，図５，及び図６は、この発明の実施例１を示すものである。【００１８】Ａ．図３に示す、実施例１においての建築用パネル１は、
ａ．金属板７による長尺の表面材１ａを成形して、次のような前面部１ｃと溝部１ｄとを持つ、前面基部１ｂを形成し、
イ．ほぼ平坦で細長い前面部１ｃと、
ロ．裏面側に長い底辺を欠いた等脚台形に折り曲げた、溝部１ｄとを、
ハ．交互に複数構成し、その両側に前面部１ｃを設けた前面基部１ｂとし、
ｂ．その前面基部１ｂの一側端に、次のような差込片１ｅを形成し、
イ．表面材１ａを裏面側にくの字形に折り曲げ、さらに裏面側に鋭角的に折り曲げ、
ロ．さらに、クランク状に表面側に折り曲げて、そして、Ｕ字形に表面側に折り曲げて、先端を裏面側に折り返した差込片１ｅを形成し、
ｃ．また、その前面基部１ｂの他側端に、次のような嵌合溝１ｆと釘打片１ｇを形成し、
イ．表面材１ａを、裏面側にくの字形に折り曲げて、さらに裏面側にくの字形に折り曲げ、そして裏面側に折り返して、次にＵ字形に表面側に折り曲げて、嵌合溝１ｆを形成し、
ロ．その嵌合溝１ｆを延長し、途中が半円形に表面側に突起し、先端を表面側に折り返した釘打片１ｇを形成し、
ｄ．その成形した表面材１ａの裏面側に、
イ．差込片１ｅの先端の折り返しに裏面紙１ｉの側端を挿入し、その裏面紙１ｉの他側端を釘打片１ｇに乗せて、
ロ．その裏面紙１ｉにより覆われた発泡合成樹脂８による、裏打材１ｈを形成し、
ハ．その長手方向の端部に切断端１ｊを形成している。【００１９】Ｂ．図４に示す、実施例１の壁面の接続部材の見切縁２は、金属板７を成形して、
ａ．平坦な一端を裏面側に折り返した見切辺２ｇを形成し、
ｂ．その見切辺２ｇの他端を、裏面側にＬ字形に折り曲げて、次のような係止溝２ｉを持つ見切底２ｈを形成し、
イ．その係止溝２ｉは、前記の見切辺２ｇ側の見切底２ｈを浅い皿状に裏面側に窪めた係止溝２ｉとし、
ｃ．その見切底２ｈをＬ字形に裏面側に折り曲げて、裏面側に開口する断面半円状の突条を途中に持ち、先端を表面側に折り返した、釘打辺２ｂを形成する。【００２０】Ｃ．図５に示す、実施例１の溝閉塞材４は、長尺の金属板７を成形して、
ａ．ほぼ平坦な細長い閉塞片４ｃを形成し、
ｂ．その閉塞片４ｃの一端を、鋭角に裏面側に折り曲げて、遮水片４ｄを形成し、
ｃ．そして閉塞片４ｃの他側部を、クランク状に表面側に板厚程度折り曲げて、固定片４ａを形成する。【００２１】Ｄ．図１，図２，及び図６に示す、実施例１の壁面５の施工は、
ａ．壁下地５ａを構成する、右と左の柱５ｂと、それらの柱５ｂとの間に半外付けの窓枠６を固定し、
ｂ．そして、次のように胴縁５ｃを柱５ｂに施工し、
イ．前記の窓枠６の左右の枠を構成する、窓縦枠６ａの側方に沿って、先端を差し込み水平に胴縁５ｃを施工し、
ロ．また、壁面５の構造及び施工上の要請による、所定の個所に胴縁５ｃを施工し、
ｃ．その胴縁５ｃに、次のように前記の見切縁２を縦に施工し、
イ．固定した窓枠６の窓縦枠６ａの長さ寸法にほぼ合わせて、切断した見切縁２を、
ロ．前記の窓縦枠６ａの側方に見切辺２ｇを沿わせて設置し、その釘打辺２ｂを釘打ち固定し、
ｄ．次に、窓縦枠６ａ側方に施工する建築用パネル１に、次のように溝閉塞材４を取り付けて、
イ．この壁面５に横方向に続く施工された建築用パネル１に対して、施工する建築用パネル１の施工位置と、窓縦枠６ａとの間の距離により、その釘打片１ｇ側の幅を割り出された幅に合わせて、差込片１ｅ側を切り欠いた、前面部１ｃに切取端１ｋを持つ施工しようとする建築用パネル１に、
ロ．その切取端１ｋの長さに合わせて切断した、溝閉塞材４の閉塞片４ｃにより、その建築用パネル１の溝部１ｄを次のように塞ぎ、
ハ．遮水片４ｄを、溝部１ｄの側壁に沿わして、閉塞片４ｃにより、溝部１ｄを塞ぎ、固定片４ａを、切取端１ｋを持つ前面部１ｃに乗せて、
ニ．その溝閉塞材４の固定片４ａの金属板７と、その建築用パネル１の前面部１ｃの金属板７とを貫く穴をドリルにより複数開けて、それらの穴に各々、固定具９であるブラインドリベット９ａを打って締結し、
ｅ．上記のように、施工された窓廻りの壁下地５ａの見切縁２に、前記の溝閉塞材４を取り付けた建築用パネル１を次のように、縦張り施工し、
イ．その窓縦枠６ａの上方、下方、またはその両方に、横方向に続くすでに施工された建築用パネル１の嵌合溝１ｆに、
ロ．上記の切取端１ｋを持つ建築用パネル１の差込片１ｅを差し込み、そして、切取端１ｋを溝閉塞材４と一緒に、前記の施工された見切縁２の、釘打辺２ｂと見切辺２ｇとの間に差し込み、その建築用パネル１の釘打片１ｇを釘打ち固定し、
ハ．その建築用パネル１の嵌合溝１ｆに、他の建築用パネル１の差込片１ｅを差し込み、その釘打片１ｇを釘打ち固定し、
ニ．上記を繰り返し、壁下地５ａに充当する複数の建築用パネル１による、壁面５を施工し、
ホ．前記の建築用パネル１の溝部１ｄを塞いだ、溝閉塞材４の閉塞片４ｃと、見切縁２の見切辺２ｇとの隙間を閉塞する。
【実施例２】
【００２２】  図３，図７，図８，図９，図１０，及び図１１は、この発明の実施例２を示すものである。【００２３】Ａ．図３に示す、実施例２においての建築用パネル１は、実施例１と同じものである。【００２４】Ｂ．図９に示す、実施例２においての壁面の接続部材の出隅３は、次のような、出隅材３ｆと釘打体３ａとからなり、組み合わせて施工される。
ａ．その出隅材３ｆは長尺の金属板７を成形して、
イ．ほぼＬ字形に裏面側に折り曲げられ、その両側をナス型に裏面側に折り返して、二重とし、その両側中央を鈍角のクランク状に表側に折り曲げて出隅辺３ｇとし、
ロ．その出隅辺３ｇの中央屈曲部において、鋭角に表面側に折り曲げて、両側を合わせて二重とし、一方の金属板７を裏面側に折り返して、他方の金属板７を挟み込み、次のような切起隆起３ｉを持つ差込縁３ｈを形成し、
ハ．その切起隆起３ｉは、船底を差込縁３ｈの折り返し側に向けて、ほぼ半裁の船形に差込縁３ｈの両側に交互に突起させ、船縁側が切断され、金属板７のほぼ２枚分程度の段差を形成し、
ｂ．実施例２の釘打体３ａは、金属板７を成形して、
イ．表面側に開口するＶ字形に折り曲げた両端を表面側にくの字形に折り曲げて、更に、直角に折り曲げて、そして、鋭角的に裏面側に折り曲げ、次いで、鋭角的に裏面側に折り曲げて、相対する鋸歯突条３ｄを形成し、
ロ．その内側に開口部が狭まった嵌合堀３ｅを持つ、相対する嵌合縁３ｃを構成し、
ハ．その嵌合縁３ｃの両端をくの字形に表面側に折り曲げて、途中に断面半円状の突条を持ち先端を表面側に折り返した、釘打縁３ｂを形成し、
ｃ．そして、出隅材３ｆの差込縁３ｈを、釘打体３ａの嵌合堀３ｅに差し込み、次の作用により接続されて出隅３を構成し、
イ．その作用は、出隅材３ｆの差込縁３ｈを、釘打体３ａの鋸歯突条３ｄにより挟み込み、その摩擦力による支持と、
ロ．出隅材３ｆが引っ張られた時に、その切起隆起３ｉが、釘打体３ａの鋸歯突条３ｄへ引っ掛かる事とによる。【００２５】Ｃ．図１０に示す、実施例２の溝閉塞材４は、長尺の金属板７を次のように、前記の建築用パネル１の溝部１ｄに入る断面等脚台形に成形して、
ａ．ほぼ平坦で、細長い閉塞片４ｃを形成し、
ｂ．その閉塞片４ｃの両側を、鋭角に裏面側に折り曲げて、遮水片４ｄを形成し、
ｃ．その遮水片４ｄの両側を、鈍角に裏面側に折り曲げて、固定片４ａを形成し、
ｄ．その固定片４ａに両面粘着テープ９ｂを貼っている。【００２６】Ｄ．図７，図８，及び図１１に示す、実施例２の壁面５の施工は、
ａ．壁下地５ａにおいて、出隅部に胴縁５ｃを、次のように固定し、
イ．柱５ｂの出隅部を構成するコーナーに、両側方から先端を合わせて水平に胴縁５ｃを施工し、
ｂ．その胴縁５ｃ上に、釘打体３ａを次のように固定し、
イ．釘打体３ａの釘打縁３ｂによるコーナーを、その固定した胴縁５ｃのコーナーに合わせて、
ロ．その釘打縁３ｂを胴縁５ｃに釘打ち固定し、
ｃ．次に施工する建築用パネル１に、次のように溝閉塞材４を取りつけて、
イ．この壁面５に横方向に続く施工された建築用パネル１に対して、施工する建築用パネル１の施工位置と、釘打体３ａの嵌合縁３ｃとの間の距離により、その差込片１ｅ側の幅を割り出された幅に合わせて、前面部１ｃをチップソー等により長手方向に切断した、釘打片１ｇ側と差込片１ｅ側との、切取端１ｋを持つ建築用パネル１に、
ロ．その切取端１ｋの長さに、切断や継ぎ足し等により長さを合わせた、溝閉塞材４の閉塞片４ｃにより、その建築用パネル１の切取端１ｋ側の溝部１ｄを、次のように塞ぎ、
ハ．建築用パネル１の溝部１ｄの底部に、溝閉塞材４の固定片４ａに貼った両面粘着テープ９ｂにより、貼り付けて、
ニ．建築用パネル１の溝部１ｄの底部と両側部をそれぞれ、溝閉塞材４の固定片４ａと両側の遮水片４ｄを沿わして塞ぎ、
ｄ．それから、その施工された釘打体３ａの嵌合縁３ｃの両外側に、建築用パネル１を次のように縦に施工し、
イ．横方向に続くすでに施工された建築用パネル１の嵌合溝１ｆに、
ロ．上記の切取端１ｋを持つ、差込片１ｅ側の建築用パネル１の差込片１ｅを差し込み、その建築用パネル１の切取端１ｋ側を釘打ち固定し、
ハ．また、その施工された釘打体３ａの嵌合縁３ｃの他側部に、上記の切取端１ｋを持つ、釘打片１ｇ側の建築用パネル１の切取端１ｋを沿わして、その切取端１ｋ側を釘打ち固定し、また、その釘打片１ｇを釘打ち固定し、
ニ．その建築用パネル１の嵌合溝１ｆに、他の建築用パネル１の差込片１ｅを差し込み、その釘打片１ｇを釘打ち固定し、
ホ．上記を繰り返し、壁下地５ａに充当する複数の建築用パネル１による、壁面５を施工し、
ｅ．そして、その両外側に建築用パネル１を施工された釘打体３ａの嵌合堀３ｅに、出隅材３ｆの差込縁３ｈを差し込み、出隅３を施工し、
イ．前記の建築用パネル１の溝部１ｄと、出隅材３ｆの出隅辺３ｇとにより、溝閉塞材４を挟み込み、
ロ．建築用パネル１の溝部１ｄを塞いだ、溝閉塞材４の閉塞片４ｃと、出隅３の出隅辺３ｇとの隙間を閉塞する。
【実施例３】
【００２７】  図３，図４，図１２，図１３，図１４，及び図１５は、この発明の実施例３を示すものである。【００２８】Ａ．図３に示す、実施例３においての建築用パネル１は、実施例１と同じものを横張に施工する。【００２９】Ｂ．図４に示す、実施例３においての見切縁２は、実施例１と同じものである。【００３０】Ｃ．図１４に示す、実施例３の溝閉塞材４は、金属板７を成形して、
ａ．ほぼ平坦で、矩形の固定片４ａを兼ねる閉塞片４ｃを形成し、
ｂ．その閉塞片４ｃの一側端を、裏面側にＬ字形に折り曲げると共に、その先端を建築用パネル１の溝部１ｄの断面形状とピッチに合う、等脚台形とする遮水片４ｄを形成し、
イ．その閉塞片４ｃの長さは、建築用パネル１の働き幅とし、その接続部に一端を合わせた時に、溝部１ｄと遮水片４ｄのピッチを合わせる、
ｃ．そして、この溝閉塞材４と対称な溝閉塞材４とを組み合わせて、一対の溝閉塞材４を構成する。【００３１】Ｄ．図１２，図１３，図１５，図１６，及び図１７に示す、実施例３の壁面５の施工は、ａ．壁下地５ａを構成する、右と左の柱５ｂと、それらの柱５ｂとの間に外付けの窓枠６を固定し、
ｂ．その壁下地５ａに、次のように前記の見切縁２を縦に施工し、
イ．固定した窓枠６の窓縦枠６ａの長さ寸法にほぼ合わせて、切断した見切縁２を、
ロ．前記の窓縦枠６ａの側方に見切辺２ｇを沿わせて設置し、その釘打辺２ｂを釘打ち固定し、
ｃ．次に、窓縦枠６ａ側方の建築用パネル１に、次のように溝閉塞材４を取り付けて、
イ．この壁面５の下方に続く施工された建築用パネル１に対して、施工する建築用パネル１の施工位置と、窓縦枠６ａ下端との間の位置関係により、その差込片１ｅ側の幅を割り出された幅に合わせる事と、建築用パネル１の切断端１ｊからの切り取り長さを合わせて、切断端１ｊ側の釘打片１ｇ側を切り欠いた、切取端１ｋを持つ施工しようとする建築用パネル１に、
ロ．次の建築用パネル１は、上記の切断端１ｊからの切り取り長さを切り取った、切取端１ｋを持つ施工しようとする複数の建築用パネル１とし、
ハ．そして、それらの建築用パネル１を施工後に残った、窓縦枠６ａ上端と、施工する建築用パネル１の施工位置との間の位置関係により、その釘打片１ｇ側をの幅を割り出された幅に合わせる事と、建築用パネル１の切断端１ｊからの切り取り長さを合わせて、切断端１ｊ側の差込片１ｅ側を切り欠いた、切取端１ｋを持つ施工しようとする建築用パネル１とにより、
ニ．それらの切取端１ｋの幅に切断等により合わせた、溝閉塞材４の閉塞片４ｃにより、その建築用パネル１の溝部１ｄを次のように塞ぎ、
ホ．遮水片４ｄの端部を、溝部１ｄの両側壁と底部に合わして区切り、また、閉塞片４ｃにより溝部１ｄの開口部を塞ぎ、
ヘ．建築用パネル１の切取端１ｋを持つ前面部１ｃに、溝閉塞材４の固定片４ａを乗せて、両者の金属板７を貫く穴をドリルにより複数開けて、それらの穴に各々、固定具９であるブラインドリベット９ａを打って締結し、
ｄ．上記のように、前記の溝閉塞材４を取り付けた建築用パネル１を、次のように施工することにより、その切取端１ｋを溝閉塞材４と一緒に、前記の施工された見切縁２の、釘打辺２ｂと見切辺２ｇとの間に差し込み、横張り施工し、
イ．その窓縦枠６ａの左側、右側、下方の、下方向に続くすでに施工された建築用パネル１の嵌合溝１ｆに、
ロ．上記の、切断端１ｊ側の釘打片１ｇ側を切り欠いた切取端１ｋを持ち、溝閉塞材４を締結した建築用パネル１の差込片１ｅを差し込み、そして、その建築用パネル１の釘打片１ｇを釘打ち固定し、
ハ．その建築用パネル１の嵌合溝１ｆに、切断端１ｊからの切り取り長さを切り取った、切取端１ｋを持ち溝閉塞材４を締結した、建築用パネル１の差込片１ｅを差し込み、その釘打片１ｇを釘打ち固定し、
ニ．そして、それらの建築用パネル１を施工後に残った、窓縦枠６ａ上端の建築用パネル１の嵌合溝１ｆに、上記の、切断端１ｊ側の差込片１ｅ側を切り欠いた切取端１ｋを持ち、溝閉塞材４を締結した建築用パネル１の差込片１ｅを差し込み、その釘打片１ｇを釘打ち固定し施工し、
ホ．その建築用パネル１の嵌合溝１ｆに、他の建築用パネル１の差込片１ｅを差し込み、その釘打片１ｇを釘打ち固定し施工し、
ヘ．上記を繰り返し、壁下地５ａに充当する複数の建築用パネル１による、壁面５を施工し、
ト．前記の建築用パネル１の溝部１ｄを塞いだ、溝閉塞材４の閉塞片４ｃと、見切縁２の見切辺２ｇとの隙間を閉塞する。
【実施例４】
【００３２】  図３，図４，図１８，図１９，図２０，図２１，及び図２２、この発明の実施例４を示すものである。【００３３】Ａ．図３に示す、実施例４においての建築用パネル１は、実施例１と同じものである。【００３４】Ｂ．図４に示す、実施例４においての見切縁２は、実施例１と同じものである。【００３５】Ｃ．図２０に示す、実施例４の溝閉塞材４は、金属板７を成形して、
ａ．ほぼ平坦で、矩形の閉塞片４ｃを形成し、
ｂ．その閉塞片４ｃの−側端を、裏面側にＵ字形に折り曲げて遮水溝４ｅを形成し、
イ．その遮水溝４ｅの先端を表面側にＬ字形に折り曲げて、建築用パネル１の溝部１ｄの断面形状とピッチに合う、等脚台形とする遮水片４ｄを形成し、
ロ．その閉塞片４ｃの長さは、建築用パネル１の働き幅とし、その接続部に一端を合わせた時に、溝部１ｄと遮水片４ｄのピッチを合わせる、
ｃ．そして、その閉塞片４ｃの他側端を、裏面側にＬ字形に折り曲げて、さらに、裏面側に鈍角のクランク状に折り曲げて、固定溝４ｂを持つ固定片４ａを形成する。【００３６】Ｄ．図１８，図１９，図２１，及び図２２に示す、実施例４の壁面５の施工は、
ａ．壁下地５ａを構成する、右と左の柱５ｂと、それらの柱５ｂとの間に半外付けの窓枠６を固定し、
ｂ．その壁下地５ａに、次のように前記の見切縁２を縦に施工し、
イ．固定した窓枠６の窓縦枠６ａの長さ寸法にほぼ合わせて、切断した見切縁２を、
ロ．前記の窓縦枠６ａの側方に、見切辺２ｇを沿わせると共に、隙間を開けて設置し、その釘打辺２ｂを釘打ち固定し、
ｃ．次に、前記の施工された見切縁２の、釘打辺２ｂと見切辺２ｇとの間に、建築用パネル１の切取端１ｋを差し込み、横張り施工し、
イ．その窓縦枠６ａの左側、右側、下方の、下方向に続くすでに施工された建築用パネル１の嵌合溝１ｆに、
ロ．施工する建築用パネル１の施工位置と、窓縦枠６ａ下端との間の位置関係により、その差込片１ｅ側の幅を割り出された幅に合わせる事と、建築用パネル１の切断端１ｊからの切り取り長さを合わせて、切断端１ｊ側の釘打片１ｇ側を切り欠いた、切取端１ｋを持つ施工しようとする建築用パネル１の差込片１ｅを差し込み、そして、その建築用パネル１の釘打片１ｇを釘打ち固定し、
ハ．その建築用パネル１の嵌合溝１ｆに、上記の切断端１ｊからの切り取り長さを切り取った、切取端１ｋを持つ建築用パネル１の差込片１ｅを差し込み、その釘打片１ｇを釘打ち固定し、そして、同様に複数の建築用パネル１を施工し、
ニ．そして、それらの建築用パネル１を施工後に残った、窓縦枠６ａ上端と、施工する建築用パネル１の施工位置との間の位置関係により、その釘打片１ｇ側をの幅を割り出された幅に合わせる事と、建築用パネル１の切断端１ｊからの切り取り長さを合わせて、切断端１ｊ側の差込片１ｅ側を切り欠いた、切取端１ｋを持つ施工しようとする建築用パネル１とにより、
ホ．その建築用パネル１の嵌合溝１ｆに、他の建築用パネル１の差込片１ｅを差し込み、その釘打片１ｇを釘打ち固定し施工し、
ヘ．上記を繰り返し、壁下地５ａに充当する複数の建築用パネル１による、壁面５を施工し、
ｄ．そして、窓縦枠６ａ側方の見切縁２に、次のように溝閉塞材４を取り付けて、
イ．建築用パネル１の溝部１ｄのピッチと位置に対して、溝閉塞材４の遮水片４ｄのピッチと位置を合わせて、
ロ．溝閉塞材４の固定片４ａを、窓縦枠６ａの側方においての見切縁２の見切辺２ｇとの隙間から、その見切縁２の係止溝２ｉに差し込み、見切底２ｈと見切辺２ｇとの角を、その溝閉塞材４の固定溝４ｂにより覆い、
ハ．他方、溝閉塞材４の遮水溝４ｅを、見切縁２の見切辺２ｇの先端に被せて施工し、
ニ．上記を繰り返し、窓縦枠６ａ側方の見切縁２に充当する、複数の溝閉塞材４を取り付け施工し、
ホ．前記の溝閉塞材４の閉塞片４ｃにより、見切縁２の見切辺２ｇを覆い、さらに、遮水片４ｄの端部を、溝部１ｄの両側壁と底部に合わして区切り、建築用パネル１の溝部１ｄを塞いで、見切辺２ｇと溝部１ｄとの隙間を閉塞する。
【実施例５】
【００３７】  図３，図２１，図２２，図２３，図２４，図２５，及び図２６は、この発明の実施例５を示すものである。【００３８】Ａ．図３に示す、実施例５においての建築用パネル１は、実施例１とおなじものである。【００３９】Ｂ．図２５に示す、実施例５においての見切縁２は、次のような、見切材２ｆと釘打材２ａとからなり、組み合わせて施工される。
ａ．その見切材２ｆは、金属板７を成形して、
ｂ．平坦な一端を裏面側に折り返した見切辺２ｇを形成し、
ｃ．その見切辺２ｇの他端を、裏面側にＬ字形に折り曲げて、次のような係止溝２ｉを持つ見切底２ｈを形成し、
イ．その係止溝２ｉは、前記の見切辺２ｇ側の見切底２ｈを浅い皿状に裏面側に窪めた係止溝２ｉとし、
ｄ．その見切底２ｈを裏面側に折り返して、前記の係止溝２ｉ側で、表面側にコの字形に折り曲げ、さらに、裏面側に折り返した、次のような切起突起２ｋを複数持つ差込辺２ｊを形成し、
イ．その切起突起２ｋは金属板７を、
ロ．船底を差込辺２ｊの折り返しせ側に向けて、ほぼ半裁の船形に差込辺２ｊの両側に交互に突起させ、
ハ．船縁側が切断され、金属板７のほぼ２枚分程度の段差を形成し、
ｅ．そして、釘打材２ａは金属板７を成形して、
ｆ．裏面側に開口する断面半円状の突条を持ち、先端を表面側に折り返した、ほぼ平坦な釘打辺２ｂを形成し、
ｇ．その釘打辺２ｂの他側端側に、次のような嵌合辺２ｃを形成し、
イ．表面側に開口するＶ字形に折り曲げた両端を表面側にくの字形に折り曲げて、更に、直角に折り曲げて、そして、鋭角的に裏面側に折り曲げ、次いで、鋭角的に裏面側に折り曲げて、相対する鋸歯突起２ｄを形成し、
ロ．その内側に開口部が狭まった嵌合隙間２ｅを持つ、相対する嵌合辺２ｃを構成し、
ハ．その嵌合辺２ｃの一端はＬ字形に裏面側に曲がり、もう一端は表面側にＬ字形に折れ曲がって、前記の釘打辺２ｂに連なり、
ｈ．そして、見切材２ｆの差込辺２ｊを、釘打材２ａの嵌合隙間２ｅに差し込み、次の作用により接続されて見切縁２を構成し、
イ．その作用は、見切材２ｆの差込辺２ｊを、釘打材２ａの鋸歯突起２ｄにより挟み込み、その摩擦力による支持と、
ロ．見切材２ｆが引っ張られた時に、その切起突起２ｋが、釘打材２ａの鋸歯突起２ｄへ引っ掛かる事とによる。【００４０】Ｃ．図２６に示す、実施例５の溝閉塞材４は、金属板７を成形して、
ａ．ほぼ平坦で、矩形で一端を裏面側にＵ字形に折り曲げた固定片４ａを形成し、
ｂ．その固定片４ａの他側端を、
イ．裏面側にＬ字形に折り曲げて、さらに、建築用パネル１の溝部１ｄの幅とピッチに合わせた部分を、表面側にＬ字形に折り曲げて閉塞片４ｃを形成し、
ｃ．その閉塞片４ｃの先端を裏面側にＬ字形に折り曲げて、建築用パネル１の溝部１ｄの断面形状に合う、等脚台形とする遮水片４ｄを形成し、
ｄ．その遮水片４ｄの先端を裏面側にＬ字形に折り曲げて、建築用パネル１の溝部１ｄ底部の幅に合う、遮水端４ｆを形成する。【００４１】Ｄ．図２１，図２２，図２３，及び図２４に示す、実施例５の壁面５の施工は、
ａ．壁下地５ａを構成する、右と左の柱５ｂと、それらの柱５ｂとの間に半外付けの窓枠６を固定し、
ｂ．その壁下地５ａに、次のように前記の見切縁２の釘打材２ａを縦に施工し、
イ．固定した窓枠６の窓縦枠６ａの長さ寸法にほぼ合わせて、切断した見切縁２の釘打材２ａを、
ロ．前記の窓縦枠６ａの側方に、嵌合辺２ｃを沿わせると共に、隙間を開けて設置し、その釘打辺２ｂを釘打ち固定し、
ｃ．次に、前記の施工された見切縁２の嵌合辺２ｃに、建築用パネル１の切取端１ｋを沿わせて、横張り施工し、
イ．その窓縦枠６ａの左側、右側、下方の、下方向に続くすでに施工された建築用パネル１の嵌合溝１ｆに、
ロ．施工する建築用パネル１の施工位置と、窓縦枠６ａ下端との間の位置関係により、その差込片１ｅ側の幅を割り出された幅に合わせる事と、建築用パネル１の切断端１ｊからの切り取り長さを合わせて、切断端１ｊ側の釘打片１ｇ側を切り欠いた、切取端１ｋを持つ施工しようとする建築用パネル１の差込片１ｅを差し込み、そして、その建築用パネル１の釘打片１ｇを釘打ち固定し、
ハ．その建築用パネル１の嵌合溝１ｆに、上記の切断端１ｊからの切り取り長さを切り取った、切取端１ｋを持つ建築用パネル１の差込片１ｅを差し込み、その釘打片１ｇを釘打ち固定し、そして、同様に複数の建築用パネル１を施工し、
ニ．そして、それらの建築用パネル１を施工後に残った、窓縦枠６ａ上端と、施工する建築用パネル１の施工位置との間の位置関係により、その釘打片１ｇ側をの幅を割り出された幅に合わせる事と、建築用パネル１の切断端１ｊからの切り取り長さを合わせて、切断端１ｊ側の差込片１ｅ側を切り欠いた、切取端１ｋを持つ施工しようとする建築用パネル１とにより、
ホ．その建築用パネル１の嵌合溝１ｆに、他の建築用パネル１の差込片１ｅを差し込み、その釘打片１ｇを釘打ち固定し施工し、
ヘ．上記を繰り返し、壁下地５ａに充当する複数の建築用パネル１による、壁面５を施工し、
ｄ．そして、窓縦枠６ａ側方に施工した釘打材２ａの嵌合隙間２ｅに、窓縦枠６ａに合わせた前記の見切材２ｆの差込辺２ｊを差し込み施工すると共に、次のように溝閉塞材４を取り付けて、
イ．建築用パネル１の溝部１ｄのピッチと位置に対して、溝閉塞材４の遮水片４ｄのピッチと位置を合わせて、遮水片４ｄの端部を、溝部１ｄの両側壁と底部に合わして区切り、
ロ．溝閉塞材４の固定片４ａを、窓縦枠６ａの側方においての見切縁２の見切辺２ｇを捲り上げて開けた、建築用パネル１の前面基部１ａとの隙間から差し込み、見切底２ｈと見切辺２ｇとの角に、その固定片４ａの先端を当てて、
ハ．そして、捲り上げた見切辺２ｇを戻して、溝閉塞材４の閉塞片４ｃに、見切縁２の見切辺２ｇの先端に被せて施工し、
ニ．上記を繰り返し、窓縦枠６ａ側方の見切縁２に、複数の溝閉塞材４を、差し込み施工し、
ホ．前記の建築用パネル１の溝部１ｄを塞ぎ、溝閉塞材４の閉塞片４ｃと、見切縁２の見切辺２ｇとの隙間を閉塞する。
【図面の簡単な説明】
【００４２】
【図１】  壁面の施工状態を示す一部省略斜視図（実施例１）
【図２】  壁面の施工状態を示す一部省略斜視図（実施例１）
【図３】  建築用パネルを示す一部省略斜視図（実施例１〜５）
【図４】  見切縁を示す一部省略斜視図（実施例１、３、４）
【図５】  溝閉塞材を示す一部省略斜視図（実施例１）
【図６】  建築用パネルの施工状態を示す一部省略斜視図（実施例１）
【図７】  壁面の施工状態を示す一部省略斜視図（実施例２）
【図８】  壁面の施工状態を示す一部省略斜視図（実施例２）
【図９】  出隅を示す一部省略斜視図（実施例２）
【図１０】  溝閉塞材を示す斜視図（実施例２）
【図１１】  建築用パネルの施工状態を示す一部省略斜視図（実施例２）
【図１２】  壁面の施工状態を示す一部省略斜視図（実施例３）
【図１３】  壁面の施工状態を示す一部省略斜視図（実施例３）
【図１４】  溝閉塞材を示す斜視図（実施例３）
【図１５】  建築用パネルの施工状態を示す一部省略斜視図（実施例３）
【図１６】  建築用パネルの施工状態を示す一部省略斜視図（実施例３）
【図１７】  建築用パネルの施工状態を示す一部省略斜視図（実施例３）
【図１８】  壁面の施工状態を示す一部省略斜視図（実施例４）
【図１９】  壁面の施工状態を示す一部省略斜視図（実施例４）
【図２０】  溝閉塞材を示す一部省略斜視図（実施例４）
【図２１】  建築用パネルの施工状態を示す一部省略斜視図（実施例４、５）
【図２２】  建築用パネルの施工状態を示す一部省略斜視図（実施例４、５）
【図２３】  壁面の施工状態を示す一部省略斜視図（実施例５）
【図２４】  壁面の施工状態を示す一部省略斜視図（実施例５）
【図２５】  見切縁を示す一部省略斜視図（実施例５）
【図２６】  溝閉塞材を示す斜視図（実施例５）
【符号の説明】
【００４３】  １  建築用パネル
２  見切縁
３  出隅
４  溝閉塞材
５  壁面
６  窓枠
７  金属板
８  合成樹脂
９  固定具
【図１】
2006083679.tif 000003
【図２】
2006083679.tif 000004
【図３】
2006083679.tif 000005
【図４】
2006083679.tif 000006
【図５】
2006083679.tif 000007
【図６】
2006083679.tif 000008
【図７】
2006083679.tif 000009
【図８】
2006083679.tif 000010
【図９】
2006083679.tif 000011
【図１０】
2006083679.tif 000012
【図１１】
2006083679.tif 000013
【図１２】
2006083679.tif 000014
【図１３】
2006083679.tif 000015
【図１４】
2006083679.tif 000016
【図１５】
2006083679.tif 000017
【図１６】
2006083679.tif 000018
【図１７】
2006083679.tif 000019
【図１８】
2006083679.tif 000020
【図１９】
2006083679.tif 000021
【図２０】
2006083679.tif 000022
【図２１】
2006083679.tif 000023
【図２２】
2006083679.tif 000024
【図２３】
2006083679.tif 000025
【図２４】
2006083679.tif 000026
【図２５】
2006083679.tif 000027
【図２６】
2006083679.tif 000028